(57)【要約】【課題】比較的低い軟化点を有するとともに、結晶化する鉛ガラス組成物を提供する。【解決手段】モル％でＰｂＯ：４６〜６３％、ＳｉＯ２：３４〜４５％、Ｂｉ２Ｏ３：０．５〜２５％、ＺｎＯ：２〜１３％、Ｂ２Ｏ３：０〜３％、Ａｌ２Ｏ３：０〜１．５％及びＺｒＯ２：０〜１．４％を含むことを特徴とする鉛ガラス組成物に係る。【選択図】なし【特許請求の範囲】
【請求項１】
モル％でＰｂＯ：４６〜６３％、ＳｉＯ２：３４〜４５％、Ｂｉ２Ｏ３：０．５〜２５％、ＺｎＯ：２〜１３％、Ｂ２Ｏ３：０〜３％、Ａｌ２Ｏ３：０〜１．５％及びＺｒＯ２：０〜１．４％を含むことを特徴とする鉛ガラス組成物。
【請求項２】
Ｂ２Ｏ３を含まないことを特徴とする、請求項１に記載の鉛ガラス組成物。
【請求項３】
モル比（ＰｂＯ＋Ｂｉ２Ｏ３）／（ＳｉＯ２＋ＺｎＯ）が１以上である、請求項１に記載の鉛ガラス組成物
【請求項４】
８００℃以下の温度範囲内で結晶化による発熱ピークが存在する、請求項１に記載の鉛ガラス組成物。
【請求項５】
鉛ガラス組成物を加熱することによって結晶化させた際に、ＰｂＯ−ＳｉＯ２系結晶及び／又はＰｂＯ−ＺｎＯ−ＳｉＯ２系の結晶相を発現する、請求項１に記載の鉛ガラス組成物。
【請求項６】
軟化点が５００℃以下である、請求項１に記載の鉛ガラス組成物。
【請求項７】
請求項１〜６のいずれかに記載の鉛ガラス組成物及び導電性粒子を含む導体形成用組成物。
【請求項８】
溶剤及びバインダーの少なくとも１種を含む、請求項７に記載の導体形成用組成物。
【請求項９】
太陽電池の導体を形成するために用いる、請求項７に記載の導体形成用組成物。
【発明の詳細な説明】
【技術分野】
【０００１】
本発明は、新規な鉛ガラス組成物及びそれを含む導体形成用組成物に関する。例えば、太陽電池の導体（電気的導体）等を形成するために用いられる導体形成用組成物に関する。
【背景技術】
【０００２】
シリコン結晶タイプの太陽電池は、高変換効率及び比較的低コストであることから、現在最も主流な太陽電池タイプの１つである。このシリコン結晶タイプ太陽電池は、Ａｇ、Ａｌ等を用いた導体を積層・接続することにより形成される。これらＡｇ導体ペースト又はＡｌ導体ペーストには粉末ガラスが添加されており、粉末ガラスが焼成助剤としての役割を果たしている。【０００３】
太陽電池用の導体形成用として使用する場合においては、短時間で焼成するというプロセス上の制約があるために、粉末ガラスとしては粘度が加熱時に素早く低下し、金属粉末間を濡れ広がり易いことが必要である。このような用途に用いるガラス組成物としては、例えばＳｉＯ２−ＰｂＯ系のガラス組成物が開示されている（特許文献１〜３）【０００４】
一方、金属ペースト焼成時にガラスの流動性が大きい場合、ガラスが軟化して導体膜表面へのガラスの染み出しが起こる場合がある。これを抑制する手法として、ＳｉＯ２−Ｂ２Ｏ３−ＺｎＯ−Ａｌ２Ｏ３−アルカリ土類金属酸化物系の結晶化ガラスを用いる手法が開示されている（特許文献４）。【０００５】
また、焼結中にブリスタと呼ばれる突起物が発生する場合がある。これはガラス成分又は樹脂バインダーの未分解成分が焼成中にガスとして発生しても金属粒子間を抜けて外に出ることができずに膜中に残り、大きな気泡となって膜がふくれる現象である。これについては、結晶化ガラスを用いると金属粒子を強固に固着でき、ブリスタの発生を抑制することができる（特許文献５）。同様に、焼成時に結晶を析出し導電性ペーストの接着強度を保持できる低融点ガラスフリットが開示されている（特許文献６）。
【先行技術文献】
【特許文献】
【０００６】
【特許文献１】特表２００８−５２００９４
【特許文献２】特表２００５−５０４４０９
【特許文献３】特開２００３−１６５７４４
【特許文献４】特開２００４−３９３５５
【特許文献５】特開２００６−２５３１４３
【特許文献６】特開平１０−９２２２４
【発明の概要】
【発明が解決しようとする課題】
【０００７】
しかしながら、これらの従来技術のガラス組成物では種々の問題があり、さらなる改善の余地が残されている。例えば、特許文献１のように比較的低温でのフロー性の優れたガラスを用いた場合、金属粉末が焼結する前にガラスが軟化することにより、ガラスの染み出しが起こる可能性がある。【０００８】
また、特許文献２〜３についても、結晶化ガラスについて開示されておらず、かつ、特許文献２については軟化点が５５０℃以上となっているため、短時間で焼成する太陽電池の導体形成プロセスでは軟化点が高く、焼成することが困難である。【０００９】
特許文献４のＳｉＯ２−Ｂ２Ｏ３−ＺｎＯ系ガラスにおいても、その軟化点が６００℃以上という高い値であり、焼成が困難という問題がある。【００１０】
特許文献４又は特許文献５のように鉛フリーの結晶化ガラスを用いる場合は、一般的に太陽電池において鉛含有ガラスよりも優れた電池特性（変換効率）を得ることが困難である。【００１１】
また、特許文献６のＰｂＯ−Ｂ２Ｏ３系ガラスは、特にＢ２Ｏ３含有量が重量％で５％以上となった場合、耐水性が低下し、粉砕加工が困難となる可能性がある。【００１２】
また、太陽電池表面（受光面）に配線されるＡｇ電極については、電極を細線化することで受光面積を増大させ、発電量の増大が可能となる。この電極の細線化には、形状保持性を高めることのできる結晶化ガラスを用いることが有効である。【００１３】
従って、本発明の主な目的は、比較的低い軟化点を有するとともに、所定の温度領域で結晶化できるガラス組成物を提供することにある。
【課題を解決するための手段】
【００１４】
本発明者は、従来技術の問題点に鑑みて鋭意研究を重ねた結果、特定のガラス組成が上記目的を達成できることを見出し、本発明を完成するに至った。【００１５】
すなわち、本発明は、下記の鉛ガラス組成物及びそれを含む導体形成用組成物に係る。
１．  モル％でＰｂＯ：４６〜６３％、ＳｉＯ２：３４〜４５％、Ｂｉ２Ｏ３：０．５〜２５％、ＺｎＯ：２〜１３％、Ｂ２Ｏ３：０〜３％、Ａｌ２Ｏ３：０〜１．５％及びＺｒＯ２：０〜１．４％を含むことを特徴とする鉛ガラス組成物。
２．  Ｂ２Ｏ３を含まないことを特徴とする、前記項１に記載の鉛ガラス組成物。
３．  モル比（ＰｂＯ＋Ｂｉ２Ｏ３）／（ＳｉＯ２＋ＺｎＯ）が１以上である、前記項１に記載の鉛ガラス組成物
４．  ８００℃以下の温度範囲内で結晶化による発熱ピークが存在する、前記項１に記載の鉛ガラス組成物。
５．  鉛ガラス組成物を加熱することによって結晶化させた際に、ＰｂＯ−ＳｉＯ２系結晶及び／又はＰｂＯ−ＺｎＯ−ＳｉＯ２系の結晶相を発現する、前記項１に記載の鉛ガラス組成物。
６．  軟化点が５００℃以下である、前記項１に記載の鉛ガラス組成物。
７．  前記項１〜６のいずれかに記載の鉛ガラス組成物及び導電性粒子を含む導体形成用組成物。
８．  溶剤及びバインダーの少なくとも１種を含む、前記項７に記載の導体形成用組成物。
９．  太陽電池の導体を形成するために用いる、前記項７に記載の導体形成用組成物。
【発明の効果】
【００１６】
本発明によれば、比較的低い軟化点を有し、かつ、所定の温度領域（特に８００℃以下）で結晶化できるガラス組成物を提供することができる。すなわち、本発明の鉛ガラス組成物は、低軟化点であるがゆえに比較的低い温度で焼成することができる。また、結晶化できるので、それを用いて形成された成形体の形状保持性に優れることから、細かな形状又は複雑な形状も創出することができる。【００１７】
このような特徴をもつ本発明の鉛ガラス組成物は、例えば導体形成用、焼結助剤等として有用である。特に、導体形成用（電気的導体形成用）として好適に用いることができる。具体的には、前記の粉末状ガラス組成物及び導電性粒子（導電性粉末）を含む導体形成用組成物として好適に用いることができる。【００１８】
前記の導体形成用組成物は、例えば太陽電池の導体を形成するのに好適に用いることができる。太陽電池の導体形成用として本発明組成物を用いることにより、フロー性を抑え、ガラスの流動化を低下させ、ガラスの染み出しを抑制できる。しかも、焼結中のブリスタの発生を抑制ないしは防止することができる。さらに、形状保持性に優れるため、特に太陽電池表面（受光面）に配線されるＡｇ電極の細線化を図ることができる。すなわち、細くて厚い配線又は電極を形成できるので、良好な導電性を維持しつつ、太陽電池の受光面積をより拡大させることができ、発電量の増大が可能となる。
【発明を実施するための形態】
【００１９】
１．鉛ガラス組成物
本発明の鉛ガラス組成物は、モル％でＰｂＯ：４６〜６３％、ＳｉＯ２：３４〜４５％、Ｂｉ２Ｏ３：０．５〜２５％、ＺｎＯ：２〜１３％、Ｂ２Ｏ３：０〜３％、Ａｌ２Ｏ３：０〜１．５％及びＺｒＯ２：０〜１．４％を含むことを特徴とする。以下、各成分の主な役割等について説明する。
【００２０】
ＰｂＯ
ＰｂＯは、主として軟化点を調整するための成分であり、同じ軟化点調整元素であるアルカリ金属酸化物と異なり、耐水性への影響が少ない。また、粉末化後の焼成においては、特にＰｂＯ−ＳｉＯ２系結晶及び／又はＰｂＯ−ＺｎＯ−ＳｉＯ２系の結晶相を析出させることによって、フロー性を抑え、ガラスの流動化を低下させ、より効果的にガラスの染み出しを抑制させるのに有効な成分である。より具体的には、Ｐｂ２ＳｉＯ４結晶、Ｐｂ３Ｓｉ２Ｏ７結晶及びＰｂＺｎＳｉＯ４結晶の少なくとも１つの結晶相を析出させることが好適である。かかる見地より、ＰｂＯの含有量は、モル％で４６〜６３％とし、好ましくは４９〜６０％とする。ＰｂＯの含有量が６３％を超えると結晶化が強くなりすぎる。また、ＰｂＯの含有量が４６％未満では、太陽電池の変換効率が低下するおそれがある。
【００２１】
ＳｉＯ２
ＳｉＯ２は、主に、ガラスの失透を防ぎ、耐湿性を向上させるのに有効な成分である。また、被接着体がシリコン半導体の場合、シリコンと同じ元素であるのでよりなじみやすいという利点もある。このような見地より、ＳｉＯ２の含有量は、モル％で３４〜４５％とし、好ましくは３７〜４５％とする。ＳｉＯ２含有量が３４％未満の場合は失透しやすくなる。一方、ＳｉＯ２含有量が４５％を超える場合は軟化点が高くなり、軟化点５００℃以下とならない。
【００２２】
Ｂｉ２Ｏ３
Ｂｉ２Ｏ３は、主として、ガラスの軟化点を低下させるための成分であり、同じ軟化点調整元素であるアルカリ金属酸化物と異なり、耐水性への影響が少ない。Ｂｉ２Ｏ３の含有量は、モル％で０．５〜１０％とし、好ましくは１〜６％とする。Ｂｉ２Ｏ３の含有量が１０％を超える場合は、太陽電池の変換効率が低下するおそれがある。また、Ｂｉ２Ｏ３の含有量が０．５％未満の場合は、軟化点が高くなり、軟化点５００℃以下とならないおそれがあるほか、結晶化が強くなりすぎるおそれもある。
【００２３】
ＺｎＯ
ＺｎＯは、特に、ガラスの結晶化を促進させる働きがある。かかる見地より、ＺｎＯの含有量は、モル％で２〜１３％とし、好ましくは３〜１０％とする。ＺｎＯの含有量が１３％を超える場合は結晶化が強くなりすぎる。その結果、焼成時に全くフローせず、ガラスが金属粒子へ濡れ広がらなくなる。また、ＺｎＯ含有量が２％未満である場合は結晶化しにくくなる。
【００２４】
Ｂ２Ｏ３
本発明では、Ｂ２Ｏ３は、モル比で０〜３％の範囲内の含有が許容されるが、結晶化促進の見地から、好ましくは０〜２％とし、より好ましくは０〜１％とし、最も好ましくはＢ２Ｏ３を含まないことである。すなわち、Ｂ２Ｏ３の含有量が少ないほど結晶化を促進できる等の点でＢ２Ｏ３を含有しないことが最も望ましい。
【００２５】
Ａｌ２Ｏ３
Ａｌ２Ｏ３は、少量の添加でガラスの失透を防ぐ働きがある。しかし、多量に添加すると軟化点が高くなってしまうため、Ａｌ２Ｏ３の含有量は、モル％で０〜１．５％とし、好ましくは０〜１％とし、より好ましくは０．１〜１％とする。前記含有量が１．５％を超える場合は軟化点が高くなり、軟化点５００℃以下とならないことがある。
【００２６】
ＺｒＯ２
ＺｒＯ２は、少量の添加でガラスの結晶化を促進させる働きがある。しかし、多量に添加すると、失透しやすくなり、また軟化点も高くなるため、ＺｒＯ２の含有量は、モル％で０〜１．４％とし、好ましくは０〜１％とし、より好ましくは０．１〜１％とする。前記含有量が１．４％を超える場合は軟化点が高くなり、軟化点５００℃以下にならないことがある。
【００２７】
各成分の割合
これらの成分について、本発明の鉛ガラス組成物では、モル比（ＰｂＯ＋Ｂｉ２Ｏ３）／（ＳｉＯ２＋ＺｎＯ）は１以上であり、特に１以上２以下であることが望ましい。モル比（ＰｂＯ＋Ｂｉ２Ｏ３）／（ＳｉＯ２＋ＺｎＯ）が１未満になると、軟化点が高くなり、軟化点５００℃以下とすることが困難となることがある。
【００２８】
本発明の鉛ガラス組成物の組成例としては、例えば、モル％で、ＰｂＯ：４８〜５２％、ＳｉＯ２：３７〜４２％、Ｂｉ２Ｏ３：０．８〜２％、ＺｎＯ：５〜１０％、Ｂ２Ｏ３：０〜１％、Ａｌ２Ｏ３：０〜１．５％及びＺｒＯ２：０〜１．４％を含む組成等を好適に採用することができる。
【００２９】
その他の成分
本発明組成物では、本発明の効果を妨げない範囲内で他の成分が含まれていても良い。例えば、Ｌｉ２Ｏ、Ｎａ２Ｏ、Ｋ２Ｏ、ＭｇＯ、ＣａＯ、ＢａＯ、ＳｒＯ、Ｐ２Ｏ５、ＴｉＯ２等をモル％で合量で３％まで含有していても良い。
【００３０】
鉛ガラス組成物の物性
本発明の鉛ガラス組成物は、８００℃以下の温度範囲内で結晶化による発熱ピーク（すなわち、結晶化ピーク温度Ｔｐ）が存在することが望ましい。すなわち、本発明組成物は、結晶化ガラスをより確実に与える組成であることが好ましい。これにより、結晶化により電極形状をより効果的に保持できることになるため、太陽電池用導体としての効果をよりいっそう発揮することができる。
【００３１】
結晶化による発熱ピークは、示差熱分析（ＤＴＡ）及び粉末Ｘ線回折分析により、結晶化前後にわたるＤＴＡのピークの頂点における温度を「結晶化ピーク温度Ｔｐ」とした。なお、前記ＤＴＡのピークの立ち上がり点の温度を「結晶化開始温度Ｔｘ」とした。
【００３２】
また、前記の結晶化ピークの開始温度（Ｔｘ）と軟化点（Ｔｓ）の差（Ｔｘ−Ｔｓ）が５０℃以上であることが望ましい。すなわち、８００℃以下の温度範囲内で結晶化ピークが存在し、（Ｔｘ−Ｔｓ）が５０℃以上となるように制御することにより、焼成時にガラスが金属粉末間を濡れ広がり、かつ結晶化で電極が形状保持されることにより、高効率な太陽電池用導体としての効果をより発揮することができる。
【００３３】
本発明のガラス組成物の軟化点は特に限定されないが、一般に５００℃以下であることが望ましい。軟化点を５００℃以下に制御することにより、短時間で焼成できる等の効果を得ることができる。
【００３４】
また、前記の通り、本発明の鉛ガラス組成物は、加熱することによって結晶化させた際に、ＰｂＯ−ＳｉＯ２系結晶及び／又はＰｂＯ−ＺｎＯ−ＳｉＯ２系の結晶相を発現するものであることが望ましい。より具体的には、Ｐｂ２ＳｉＯ４結晶、Ｐｂ３Ｓｉ２Ｏ７結晶及びＰｂＺｎＳｉＯ４結晶の少なくとも１つの結晶相を析出させることが好適である。これによって、フロー性を抑え、ガラスの流動化を低下させ、より効果的にガラスの染み出しを抑制することができる。
【００３５】
本発明の鉛ガラス組成物の形態は限定的ではないが、通常は粉末状（粉末状ガラス組成物）であることが好ましい。この場合の粒度は、鉛ガラス組成物の用途、使用方法等に応じて適宜設定することができる。例えば、導体形成用に用いる場合は、特に最大粒径（Ｄｍａｘ）を１０μｍ以下とすることが好ましい。この範囲に設定することにより、線幅２０μｍ程度の導体の細線化により確実に対応することができる。最大粒径（Ｄｍａｘ）が１０μｍを超える場合は、導体の細線化に対応できなくなるおそれがある。
【００３６】
本発明の鉛ガラス組成物（特に粉末状ガラス組成物）は、従来のガラス組成物と同様の用途に使用することができる。例えば、導体形成用、焼結助剤等が挙げられる。特に、導体形成用（電気的導体形成用）として好適に用いることができる。具体的には、前記の粉末状ガラス組成物及び導電性粒子（導電性粉末）を含む導体形成用組成物として好適に用いることができる。
【００３７】
２．鉛ガラス組成物の製造方法
本発明ガラス組成物の製造方法としては、特に限定されない。まず、原料としては、本発明ガラス組成物のガラス成分の供給源となる化合物（原料化合物）を出発原料として使用すれば良い。例えば、Ａｌ２Ｏ３のためにＡｌ（ＯＨ）３、Ａｌ２Ｏ３等を用いることができる。他の成分についても、ＳｉＯ２、ＺｒＯ２等のように、各種酸化物、炭酸塩、硝酸塩等の通常用いられる出発原料を採用することができる。そして、これらを所定の割合で含有する混合物を出発原料として用い、これらを溶融することにより本発明ガラス組成物を得ることができる。
【００３８】
より具体的には、本発明ガラス組成物の製造方法としては、１）原料化合物を混合することにより混合物を得る第１工程及び２）得られた混合物を溶融することにより溶融物を得る第２工程を含む製造方法によって、本発明の鉛ガラス組成物を得ることができる。
【００３９】
第１工程では、原料化合物を混合することにより混合物を得る。この場合、本発明鉛ガラス組成物の組成・比率となるように各原料化合物を秤量し、混合することにより混合物を調製すれば良い。各成分の原料の混合順序等は特に制限されず、同時に配合しても良いし、所定の化合物から順番に配合しても良い。また、原料化合物は、通常は粉末形態で供給すれば良い。各成分を含む原料化合物を公知の方法で粉砕、混合等を実施することにより混合物（出発原料）を得ることができる。
【００４０】
第２工程では、混合物を溶融することにより溶融物を得る。溶融に際しては、原料組成等に応じてガラス溶融温度を設定すれば良いが、通常は９００〜１３００℃程度（特に９００〜１１００℃）で実施すれば良い。得られた溶融物は、必要に応じて、溶融物からそのまま粉末を製造する工程に供しても良い。例えば、溶融物を冷却した後、必要に応じて粉砕、分級等の処理をすることにより粉末を得ることもできる。このようにして、本発明の鉛ガラス組成物は、粉末状として好適に提供することができる。
【００４１】
粉末状とする場合の平均粒径（Ｄ５０）は限定的ではないが、通常は５０μｍ以下の範囲内において使用形態、用途等に応じて適宜調整することができる。その際に、微細粉末を、水を用いた湿式粉砕で調整することができる。また、水を用いない乾式の気流分級で調整することもできる。
【００４２】
３．導体形成用組成物
本発明は、本発明の鉛ガラス組成物及び導電性粒子を含む導体形成用組成物を包含する。
本発明の鉛ガラス組成物としては、前記の粉末状ガラス組成物を好適に用いることができる。
【００４３】
導電性粒子は、特に限定されず、例えば金属等を用いることができる。金属としては、例えば銀、銅、金、ニッケル、鉄等のほか、これらを含む合金又は金属間化合物を用いることができる。これらは、用途等に応じて適宜選択することができる。例えば、太陽電池の半導体（特にシリコン）に積層・接続する導体を形成する場合は、銀又はアルミを好適に用いることができる。
【００４４】
導電性粒子（導電性粉末）の平均粒径は、形成する導体の形状等に応じて変更することができるが、通常は０．１〜１０μｍ程度とすれば良い。また、導電性粒子の形状も限定されず、例えば球状、フレーク状等のいずれの形状であっても良い。
【００４５】
本発明の導体形成用組成物の固形分中における導電性粒子（粉末）の含有量は、所望の導電性、用途等に応じて適宜設定すれば良いが、通常は７０〜９９重量％程度とすれば良い。
【００４６】
また、導電性粒子と粉末状ガラス組成物との比率は、所望の導電性等に応じて適宜設定することができるが、通常は導電性粒子１００重量部に対して前記粉末状ガラス組成物１〜３０重量部、特に１〜１０重量部とすることが好ましい。
【００４７】
本発明の導体形成用組成物は、粉末状であっても良いが、特にペースト状（導電ペースト）の形態で好適に用いることができる。すなわち、１）溶剤及びバインダーの少なくとも１種、２）本発明の粉末状ガラス組成物及び、３）導電性粒子（粉末）を含むペーストとして好適に用いることができる。例えば、前記ペーストとして、エチルセルロースを用いた導電ペーストを好適に調製することができる。この場合、ターピネオール等の溶剤にエチルセルロースを溶解させた溶液からなるヒビクル中、あるいは必要に応じて前記溶液にその他の添加物を含んでなるビヒクル中に本発明の粉末状ガラス組成物及び導電性粒子（粉末）を均一分散させれば良い。導体形成用組成物をペースト状で用いる場合、その固形分含有量は通常６０〜９０重量％程度とすれば良い。また、本発明の導体形成用組成物は、感光性ガラスペースト等にも適用できる。
【００４８】
このように、本発明の導体形成用組成物は、導電性ペーストとして用いることもできることから、各種の導体（特に電極及び配線の少なくとも１種）の形成に適している。例えば、太陽電池の導体（特に電極及び配線の少なくとも１種）の形成に好適に用いることができる。太陽電池に用いる半導体としては、多結晶シリコン、単結晶シリコン、アモルファスシリコン、化合物半導体等の各種があるが、この中でも、多結晶シリコン太陽電池又は単結晶シリコン太陽電池（特に太陽電池の前面（受光面））において、シリコンに接続する電極又は配線の形成に好適である。すなわち、本発明の導体形成用組成物は、シリコンに対してより高い接着強度で接合することができる。
【００４９】
導体性ペーストを用いて導体を形成する方法としては、例えば導電性ペーストにより塗膜を形成する工程及び前記塗膜を焼成する工程を含む方法により実施することができる。塗膜を形成する方法自体は公知の方法に従えば良く、例えばスクリーン印刷等の各種印刷方法のほか、塗布、スプレー等の方法により実施することができる。塗膜を形成した後、焼成前においては、必要に応じて乾燥しても良い。焼成する際の焼成温度は通常６００〜８００℃とすれば良い。また、焼成雰囲気は、導電性粒子の種類等に応じて、例えば大気中、不活性ガス雰囲気、還元性雰囲気等の中から適宜選択すれば良い。
【実施例】
【００５０】
以下に実施例及び比較例を示し、本発明の特徴をより具体的に説明する。ただし、本発明の範囲は、実施例に限定されない。【００５１】
実施例１〜１１及び比較例１〜１１
表１〜表４に示す組成（単位：モル％）となるよう各成分を調合し、混合した後、約９００〜１１５０℃の温度で１〜２時間溶融した。溶融物をステンレス鋼製の冷却ロールにて急冷し、ガラスフレーク（試料）をそれぞれ作製した。【００５２】
試験例１
各実施例及び比較例で得られた試料について、（株）リガク社製ＤＴＡ（型名「ＴＧ−８１２０」）を用いて、試料を大気雰囲気下において２０℃／分の昇温速度で示差熱分析を行い接線法により、ガラス転移点、軟化点、結晶化開始温度及び結晶化ピーク温度を調べた。また、ピークが確認できたものについては、粉末Ｘ線回折分析を行い、ピークが結晶化によるものであることを確認した。このときのピークは、各実施例のいずれの試料についてもＰｂ２ＳｉＯ４結晶、Ｐｂ３Ｓｉ２Ｏ７結晶又はＰｂＺｎＳｉＯ４結晶のいずれかによるピークであることを確認した。なお、試料は、ガラスフレークを乳鉢でできるだけ細かくすり潰し、約５０ｍｇで測定した。測定範囲は室温から８００℃までとした。その結果を表１及〜表４に示す。【００５３】
試験例２
実施例及び比較例で得られた試料を用いてガラス微粉末を製造し、それを含む導電性ペーストを調製した。得られた導電性ペーストについて、１）接着強度及び２）導体膜表面のブリスタの有無を調べた。【００５４】
まず、ガラス微粉末は、耐湿性の悪いものも比較評価できるように乾式で作製した。すなわち、ボールミルで平均粒径５〜１０μｍとなるまで粉砕し、気流式分級機で平均粒径が２．５μｍ、トップサイズ（最大粒径）が１０μｍ以下になるように篩い分けした。次いで、得られたガラス微粉末を用いて導電性ペーストを調製した。導電性ペーストは、銀粒子（平均粒径＝１μｍ程度）１００重量部に対してガラス微粉末３重量部を添加した。これにビヒクルを添加し、三本ロールで混練することにより固形分約８５質量％のＡｇペーストを調製した。前記ビヒクルとしては、ターピネオールにエチルセルロースを１５質量％溶解させたものを使用した。【００５５】
得られた導電性ペーストを用いて、シリコンウエハ上にスクリーン印刷により印刷し、１５０℃で乾燥させた後、大気中８００℃で焼成して電極膜（導体）を形成した。得られた電極膜について、その接着強度を測定した。接着強度の測定は、電極膜の上からセロハンテープを押し付けた後、セロハンテープを引き剥がした後でも、導体がウエハ上に剥れずに密着できているかで評価した。セロハンテープによる剥がしテストでも導体が剥れなかったものを「○」、剥れたものを「×」と評価した。その結果を表１〜表４に示す。【００５６】
また、電極膜の表面観察により、ブリスタの有無を目視にて確認した。ブリスタが確認されなかったものを「○」、確認されたものを「×」と評価した。その結果についても表１〜表４に示す。【００５７】
【表１】
2011108691.tif 000002
【００５８】
【表２】
2011108691.tif 000003
【００５９】
【表３】
2011108691.tif 000004
【００６０】
【表４】
2011108691.tif 000005
【００６１】
表１〜表４の結果からも明らかなように、比較例１〜１１においては、導体の密着性が得られない、あるいはブリスタの発生が見られる等のいずれかの問題があることから、導体添加用ガラスとしては適用し得ないことがわかる。これに対し、実施例１〜１１は、いずれの物性の点からみても、導体添加用ガラスとして好適に使用できることがわかる。すなわち、本発明の鉛ガラス組成物及び導電性粒子を含むペーストは、導体形成用組成物として好適に使用できることがわかる。
【国際調査報告】
2011108691.tif 000006
2011108691.tif 000007